(57)【特許請求の範囲】
【請求項１】
送信側装置で入力した画像データを出力すべき画像データとして受信側装置に伝送する画像データ伝送装置において、
前記受信側装置の装置構成情報を前記送信側装置に通知する通知手段を備え、
その通知手段により通知された前記受信側装置の装置構成情報と、前記送信側装置の装置構成情報との比較結果に基いて前記受信側装置に伝送する画像データに対する画像処理または／及び送信手順を決定後前記画像データを伝送する一方、
前記受信側及び送信側装置の装置構成情報の比較により、前記送信側装置において前記受信側装置のＣＭＹＫカラー画像対応の出力デバイスに対応した画像処理が可能であり、かつ、前記受信側装置において前記送信側装置のＲＧＢカラー画像対応の入力デバイスに対応した画像処理が可能である場合には、
前記送信側装置の前記入力デバイスから入力されたＲＧＢカラーの画像データを符号化したデータと、その入力されたＲＧＢカラーの画像データをＣＭＹＫカラー画像に変換して更に符号化したデータとを比較して、前記ＲＧＢカラー画像の符号化データのほうがデータ量が少ない場合には、当該ＲＧＢカラー画像の符号化データを、前記ＣＭＹＫカラー画像の符号化データのほうがデータ量が少ない場合は、前記ＣＭＹＫカラー画像の符号化データを、前記伝送画像データとして前記受信側装置に伝送すると共に、
前記受信側装置は、前記送信装置からのＲＧＢカラー画像の符号化データまたはＣＭＹＫカラー画像の符号化データを画像処理して前記出力デバイスにより出力することを特徴とする画像データ伝送装置。
【請求項２】
前記通知手段により通知される、前記受信側装置の装置構成情報は、前記受信側装置の各入出力デバイスに固有のデバイス識別コードである一方、前記送信側装置は、前記デバイス識別コード毎に予め記憶しておいたデバイス特性情報を読み出すことで、前記受信側装置の装置構成情報の具体的内容を得ることを特徴とする請求項１記載の画像データ伝送装置。
【請求項３】
前記送信側装置が前記デバイス識別コードと対応付けて予め記憶しておくデバイス特性情報の記憶内容を書き替える特性情報更新手段を備えたことを特徴とする請求項２記載の画像データ伝送装置。
【請求項４】
前記通知手段により通知される、前記受信側装置の装置構成情報は、前記受信側装置に固有の機種コードである一方、前記送信側装置は、前記機種コード毎に予め記憶しておいた機種情報を読み出すことで、前記受信側装置の装置構成情報の具体的内容を得ることを特徴とする請求項１記載の画像データ伝送装置。
【請求項５】
前記送信側装置が前記機種コードと対応付けて予め記憶しておく機種情報の記憶内容を書き替える機種情報更新手段を備えたことを特徴とする請求項４記載の画像データ伝送装置。
【請求項６】
前記通知手段により通知される、前記受信側装置の装置構成情報は、前記受信側装置の各入出力デバイスに固有のデバイス識別コード、または、前記受信側装置に固有の機種コードである一方、前記送信側装置は、前記デバイス識別コード毎に予め記憶しておいたデバイス特性情報、または、前記機種コード毎に予め記憶しておいた機種情報を読み出すことで、前記受信側装置の装置構成情報の具体的内容を得ることを特徴とする請求項１記載の画像データ伝送装置。
【発明の詳細な説明】
【０００１】
【発明の属する技術分野】
本発明は、画像データの通信を行う画像データ伝送装置に関し、詳細には、送信側で入力した画像データを受信側に伝送して受信側で出力する画像データ伝送装置に関する。
【０００２】
【従来の技術】
従来の画像データ伝送装置の典型例として、カラーファクシミリ装置間での画像データ伝送について、図７を参照して説明する。なお、カラーファクシミリ装置としては画像データの送信及び受信の双方に対応するための機能を備えるが、図７においては、図示の簡潔さのために、送信側には、主に画像データの送信のために必要なブロック構成のみを示し、受信側には、主に画像データの受信のために必要なブロック構成のみを示し、それら以外の構成の図示を省略している。
【０００３】
同図において、送信側装置では、受信側装置にカラー画像を送信するため、その送信すべきカラー画像を画像入力部５１から入力する。その入力されるカラー画像は、ＲＧＢ色空間の各色信号Ｒ、Ｇ、Ｂで構成されている。送信側装置において入力されたＲＧＢカラー画像を送信せずにそのまま出力する場合（カラーファクシミリ装置においていわゆるコピー機能またはプリンタ機能を使用する場合）は、ＲＧＢカラー画像は画像処理部５２により画像出力部５３が取り扱えるＣＭＹＫ色空間の各色信号Ｃ、Ｍ、Ｙ、Ｋに変換される。そしてその変換されたＣＭＹＫカラー画像は、画像出力部５３により、カラー画像として出力される。このとき、画像処理部５２においては、ＲＧＢ／ＣＭＹＫ色空間変換のほかに、画像出力部５３のデバイス特性に合わせ、ガンマ変換、エッジ強調、減色変換等様々な画像処理が施される。
【０００４】
カラー画像の送信を行う場合には、画像入力部５１により入力されたＲＧＢカラー画像は画像処理部５４に入力され、デバイスの種類に依存しない標準的な色空間として、国際照明委員会ＣＩＥが推奨する色空間であるＬ＊ａ＊ｂ＊色空間（以後の説明においてはＬａｂ色空間と略記し、また、参照する図中においても、「Ｌ＊」は「Ｌ」と、「ａ＊」は「ａ」と、「ｂ＊」は「ｂ」と略記する）の各色信号Ｌ、ａ、ｂに変換される。
【０００５】
画像処理部５４では、入力カラー画像のＲＧＢ／Ｌａｂ色空間変換の他に、入力カラー画像の画像特性の修正のために、ＭＴＦ補正等のその他の画像処理を行う場合もある。
【０００６】
画像処理部５４によりＲＧＢカラー画像を変換して得られたＬａｂカラー画像は、圧縮符号化部５５により圧縮符号化される。この圧縮符号化にはＪＰＥＧ方式が用いられることが多く、カラーファクシミリ装置の標準ではＪＰＥＧ方式を用いることになっている。
【０００７】
符号化後のＬａｂカラー画像データ（図中にはＬ´ａ´ｂ´で示している）は通信制御部５６により受信側装置に送信される。
【０００８】
受信側装置では、送信側装置の通信制御部５６から通信により送られてくる符号化されたＬａｂカラー画像を通信制御部５７により受信し、その受信した符号化されたＬａｂカラー画像は、復号化部５８により復号化され元のＬａｂカラー画像に復元される。その復元されたＬａｂカラー画像は、Ｌａｂ色空間のカラー画像で、そのままでは、画像出力部６２が処理できないため、画像処理部５９によりＬａｂ／ＣＭＹＫ色空間変換して、ＣＭＹＫカラー画像に変換する。なお、画像処理部５９では、送信側と同様に、画像出力部６２のデバイス特性に合わせた画像処理も行われる。画像処理部５９により変換されたＣＭＹＫカラー画像は、画像出力部６２により出力される。
【０００９】
この例では受信側装置においても画像入力部６０を備えており、入力画像をそのまま出力することもできる。その場合には入力されたカラー画像の色空間はＲＧＢであるため画像処理部６１により画像出力部６２が取り扱えるＣＭＹＫ色空間のカラー画像に変換してた後に、画像出力部６２により出力する。画像処理部６１では、送信側装置の画像処理部５２と同様に、ＲＧＢ／ＣＭＹＫ色空間変換のほかに、画像出力部６２のデバイス特性に合わせ、ガンマ変換、エッジ強調、減色変換等様々な画像処理が行われる。
【００１０】
このように、従来の標準化されているカラーファクシミリ装置においては、入力装置によって入力されたＲＧＢ色空間等のカラー画像データは、一旦デバイスに依存しないＬａｂ色空間のカラー画像データに変換された後送信され、受信側においては自身の持つ出力デバイスの特性に適合させるように再度、Ｌａｂ色空間からＣＭＹＫ色空間等への色変換を行い画像を出力する。すなわち、この送信側及び、受信側を全体として捉え、入力されたカラー画像を出力する系として見た場合、少なくとも、２回の色変換（上記の例においては、ＲＧＢ／Ｌａｂ色空間変換、及び、Ｌａｂ／ＣＭＹＫ色空間変換）が必要である。このような変換処理は、異なる機種間ではもちろん、同じ機種の送信側及び受信側装置間で通信を行う場合にも、標準に適合した通信を行うために、同様に行われる。
【００１１】
しかし、入力されたカラー画像を出力するという単純な処理について考えると、入力デバイスから入力された、例えばＲＧＢカラー画像を、例えばＣＭＹＫ色空間のカラー画像に適合した出力デバイスで出力する場合には、１回の色空間変換、すなわち、ＲＧＢ／ＣＭＹＫ色空間変換のみで十分である。
【００１２】
したがって、同機種間のカラー画像の通信時においては、送信側及び受信側装置のそれぞれの入出力デバイスは、互いに同一機能であり、入力デバイスから入力されたカラー画像を出力デバイスの特性に適合するように変換する画像処理部も互いに同一機能であるため、送信側の入力デバイスで入力したカラー画像は、１回の色空間変換のみで受信側の出力デバイスで出力可能なはずである。
【００１３】
当然ながら色空間のみでなく、その他の画像処理に関しても、同一機種間であれば、互いの入出力デバイスの特性に特化した最適な処理を行えるはずであるが、そのような場合でも、そもそもは異なる機種間での通信を可能とするために取り決められた標準に適合するために、送信する画像の形式を標準に適合させるための変換処理等を行うため、画質劣化が生じている場合がある。
【００１４】
そのような場合の例として、入力デバイスにおける解像度と出力デバイスにおける解像度が双方とも６００ｄｐｉで同じであるにも関わらず、通信時には標準で既定された２００ｄｐｉに変換して通信するような場合が挙げられる。この場合、送信側において６００ｄｐｉから２００ｄｐｉへの低解像度化処理が行われ、受信側において２００ｄｐｉから６００ｄｐｉへの高解像度化処理が行われるが、当然ながらこのような処理においては、６００ｄｐｉの解像度の画像の有する情報量を維持することはできず、情報の欠落による画質劣化は避けられない。
【００１５】
つまり、送信側及び受信側装置間で互いの入出力デバイスの機能が同一であっても、互いの装置がその事実を知らないがために、異機種間での通信の場合と同様に、標準にのっとったデータフォーマットや通信手順で通信することになり、無駄な色変換処理や解像度変換処理が行われたり、必ずしも受信側装置の出力デバイスの特性に最適な画像処理が行われないという問題点がある。
【００１６】
特開平５−２９８４３７号公報に見られるカラー画像処理装置においては、受信側デバイスの種類に応じた、色変換を含む画像処理を行うことができる場合には、送信側でそれらの処理を行った後送信を行い、それができない場合に関しては標準的な色空間を用いて送信を行うようにしている。
【００１７】
【発明が解決しようとする課題】
しかし、このような構成をとった場合の問題点は、受信側デバイスの機能あるいは特性を記述するための情報量が多くなってしまう点と、画像処理や色変換処理を行うのが送信側のみである点である。
【００１８】
画像処理を送信側のみで行うようにすると、たとえば受信側装置は送信側装置の入力デバイス（スキャナ等）に対応する画像処理機能を備えているが、受信側装置の出力デバイスが送信側装置のそれと異なるものの場合、つまり、送信側装置と受信側装置とが、装置全体としては機能が異なっていても、受信側装置が送信側装置の入力デバイスに対応した画像処理だけは行える場合でも、その画像処理は、常に送信側でのみ行われるため、送信側装置と同じ入力デバイスを備えることで、送信側装置の入力デバイスに対応する画像処理なら行える受信側装置に対しても、結局デバイス非依存の標準に適合する色空間に変換して送信することになる。
【００１９】
すなわち、このようなケースでは送信側装置の入力デバイスから入力された画像に必要な画像処理を行う手段を受信側装置が備えているにも関わらず、送信側装置は、そのことを知らずに標準に適合する処理を行ってしまうために、入力デバイスが同一なのに、出力デバイスが異なることだけのために、無駄な処理が行われてしまうことになる。また、送信側装置が、受信側装置の画像処理機能知らないで処理した画像データは、必ずしも、通信に最適な状態、すなわち、データ量の少ない画像データではないという問題点があった。
【００２０】
本発明は係る事情に鑑みてなされたものであり、通信時に無駄な画像処理等を行うことがなく、画質劣化の少ない画像データの伝送ができる画像データ伝送装置を提供することを目的とする。
【００２１】
【課題を解決するための手段】
上記目的を達成するため、請求項１記載の画像データ伝送装置は、送信側装置で入力した画像データを出力すべき画像データとして受信側装置に伝送する画像データ伝送装置において、前記受信側装置の装置構成情報を前記送信側装置に通知する通知手段を備え、その通知手段により通知された前記受信側装置の装置構成情報と、前記送信側装置の装置構成情報との比較結果に基いて前記受信側装置に伝送する画像データに対する画像処理または／及び送信手順を決定後前記画像データを伝送する一方、前記受信側及び送信側装置の装置構成情報の比較により、前記送信側装置において前記受信側装置のＣＭＹＫカラー画像対応の出力デバイスに対応した画像処理が可能であり、かつ、前記受信側装置において前記送信側装置のＲＧＢカラー画像対応の入力デバイスに対応した画像処理が可能である場合には、前記送信側装置の前記入力デバイスから入力されたＲＧＢカラーの画像データを符号化したデータと、その入力されたＲＧＢカラーの画像データをＣＭＹＫカラー画像に変換して更に符号化したデータとを比較して、前記ＲＧＢカラー画像の符号化データのほうがデータ量が少ない場合には、当該ＲＧＢカラー画像の符号化データを、前記ＣＭＹＫカラー画像の符号化データのほうがデータ量が少ない場合は、前記ＣＭＹＫカラー画像の符号化データを、前記伝送画像データとして前記受信側装置に伝送すると共に、前記受信側装置は、前記送信装置からのＲＧＢカラー画像の符号化データまたはＣＭＹＫカラー画像の符号化データを画像処理して前記出力デバイスにより出力することを特徴とする。
【００２２】
請求項２記載の画像データ伝送装置は、請求項１記載の画像データ伝送装置において、前記通知手段により通知される、前記受信側装置の装置構成情報は、前記受信側装置の各入出力デバイスに固有のデバイス識別コードである一方、前記送信側装置は、前記デバイス識別コード毎に予め記憶しておいたデバイス特性情報を読み出すことで、前記受信側装置の装置構成情報の具体的内容を得ることを特徴とする。
【００２３】
請求項３記載の画像データ伝送装置は、請求項２記載の画像データ伝送装置において、前記送信側装置が前記デバイス識別コードと対応付けて予め記憶しておくデバイス特性情報の記憶内容を書き替える特性情報更新手段を備えたことを特徴とする。
【００２４】
請求項４記載の画像データ伝送装置は、請求項１記載の画像データ伝送装置において、前記通知手段により通知される、前記受信側装置の装置構成情報は、前記受信側装置に固有の機種コードである一方、前記送信側装置は、前記機種コード毎に予め記憶しておいた機種情報を読み出すことで、前記受信側装置の装置構成情報の具体的内容を得ることを特徴とする。
【００２５】
請求項５記載の画像データ伝送装置は、請求項４記載の画像データ伝送装置において、前記送信側装置が前記機種コードと対応付けて予め記憶しておく機種情報の記憶内容を書き替える機種情報更新手段を備えたことを特徴とする。
【００２６】
請求項６記載の画像データ伝送装置は、請求項１記載の画像データ伝送装置において、前記通知手段により通知される、前記受信側装置の装置構成情報は、前記受信側装置の各入出力デバイスに固有のデバイス識別コード、または、前記受信側装置に固有の機種コードである一方、前記送信側装置は、前記デバイス識別コード毎に予め記憶しておいたデバイス特性情報、または、前記機種コード毎に予め記憶しておいた機種情報を読み出すことで、前記受信側装置の装置構成情報の具体的内容を得ることを特徴とする。
【００３２】
【発明の実施の形態】
以下、添付図面を参照しながら、本発明の実施の形態を詳細に説明する。
【００３３】
図１に、本発明の実施の形態に係る画像データ伝送装置のとして好適なカラーファクシミリ装置のブロック構成を示す。なお、同図においては、通信回線を介しての送信側装置としてのカラーファクシミリ装置のブロック構成と、受信側装置としてのカラーファクシミリ装置のブロック構成に分けて示している。つまり、カラーファクシミリ装置が送信側装置となる場合に不使用の受信側装置として必要な構成を省く一方、カラーファクシミリ装置が受信側装置となる場合に不使用の送信側装置として必要な構成を省くことにより、図面の表示上の煩雑さを避けている。したがって、図１に示すカラーファクシミリ装置の受信側が送信側に、送信側が受信側になって画像データの伝送を行うことは、当然可能である。
【００３４】
さて、図１において、画像データは、送信側装置（以後単に送信側と称する場合もある）の画像入力部１から入力されて、最終的には受信側装置（以後単に受信側と称する場合もある）の画像出力部１４から出力される。
【００３５】
画像入力部１より入力される画像データの色空間はＲＧＢである。画像入力部１として、一般的なカラースキャナを想定しているが、もちろん言うまでもなくこの他の色空間を持つ入力デバイスであっても画像入力部１として適用可能である。ただし、その場合は、以降の処理がその色空間に適合するものに変わるだけである。
【００３６】
画像入力部１から入力されるＲＧＢカラー画像は、選択部２に入力される。選択部２は、その入力されるＲＧＢカラー画像を、通信制御部８からの指示に応じて、画像処理部Ａ３、圧縮符号化部４、または、画像処理部Ｂ５のいずれかに切り換え出力する。
【００３７】
画像処理部Ａ３は、選択部２から入力されるＲＧＢカラー画像をＲＧＢ／ＣＭＹＫ変換してＣＭＹＫカラー画像に変換して選択部６に出力する。画像処理部Ａ３から出力されるＣＭＹＫカラー画像は、選択部６より画像出力部７または圧縮符号化部４に切り換え出力される。選択部６は、カラーファクシミリ装置である送信側装置が、受信側装置となる場合にカラー画像の出力のために備えている画像出力部７の機能を流用した、付加的機能であるカラー複写機として動作するするのか、本来の機能であるカラーファクシミリ装置として動作するのかに応じて入力のＣＭＹＫカラー画像を切り換え出力する。
【００３８】
つまり、カラー複写機として動作する場合には、入力されるＣＭＹＫカラー画像を常に画像出力部７に出力し、カラーファクシミリ装置として動作する場合には、入力されるＣＭＹＫカラー画像を常に圧縮符号化部４に出力する。したがって、選択部６は、通信制御部８からの指示に応じて切り換え状態が変化する選択部２とはその動作が異なる。
【００３９】
画像処理部Ｂ５は、選択部２から入力されるＲＧＢカラー画像をＲＧＢ／Ｌａｂ変換して、標準のＬａｂ画像に変換して圧縮符号化部４に出力する。
【００４０】
結果として、圧縮符号化部４には、選択部６からのＣＭＹＫカラー画像、選択部２からのＲＧＢカラー画像、または、画像処理部ＢからのＬａｂカラー画像のいずれかが、通信制御部８からの指示に応じた選択部２の切り換え動作に応じて入力される。
【００４１】
圧縮符号化部４は、入力されるＣＭＹＫカラー画像、ＲＧＢカラー画像またはＬａｂカラー画像を圧縮符号化した画像データを通信通信制御部８に出力する。通信制御部８は、受信側装置の通信制御部９と伝送制御手順をやりとりしながら、圧縮符号化部４からの符号化画像データを受信側装置に伝送する。
【００４２】
受信側装置においては、送信側装置から伝送される符号化画像データは、通信制御部９により受信されて復号化部１０に渡される。通信制御部９は、後述するように、送信側の通信制御部８から通知される伝送画像データの種類（色空間が、ＲＧＢ、ＣＭＹＫ、または、Ｌａｂのいずれか）に応じて、選択部１１に指示を与え、切り換え状態を制御する。
【００４３】
復号化部１１では、伝送された符号化画像データの種類に対応する復号化方法式で復号化することにより、元のＲＧＢ、ＣＭＹＫ、またはＬａｂカラー画像を出力する。復号化部１１から出力される各色空間のカラー画像は、選択部１１に入力されるが、選択部１１は、通信制御部９からの指示に応じて切り換え制御され、入力されるカラー画像がＲＧＢカラー画像であれば、その入力されるカラー画像を画像処理部Ｄ１３に、ＣＭＹＫカラー画像であれば、そのまま画像出力部１４に、Ｌａｂカラー画像であれば、画像処理部Ｃ１２に出力する。
【００４４】
画像処理部Ｄ１３では、選択部１１から入力されるＲＧＢカラー画像をＲＧＢ／ＣＭＹＫ変換してＣＭＹＫカラー画像に変換して画像出力部１４に出力する。画像処理部Ｃ１２では、選択部１１から入力されるＬａｂカラー画像をＬａｂ／ＣＭＹＫ変換してＣＭＹＫカラー画像に変換して画像出力部１４に出力する。
【００４５】
これにより、送信側の画像入力部１から入力されたＲＧＢカラー画像は、ＲＧＢ、ＣＭＹＫ、または、Ｌａｂカラー画像として受信側に伝送され、最終的には、ＣＭＹＫカラー画像として画像出力部１４に入力されて、画像出力部１４により出力される。
【００４６】
また、受信側は、画像入力部１５から入力したＲＧＢカラー画像を画像処理部ＤでＲＧＢ／ＣＭＹＫ変換して画像出力部１４に出力することにより、送信側と同様にカラー複写機としても動作できる。
【００４７】
ここで、送信側の画像入力部１から入力されたＲＧＢカラー画像が、受信側の画像出力部１４のより出力されるまでに経ることが可能な画像処理（色空間変換）経路について、図２及び３を参照して概念的に説明する。
【００４８】
図２においては、送信側及び受信側の画像入力部、画像出力部、及びそれらに介在する画像処理部のみを示し、選択部や圧縮符号化部、復号化部、通信制御部、通信回線等の画像処理（色空間変換）の観点から見て画像データが通過するのみの構成の図示を省略している。
【００４９】
同図において、送信側の画像入力部１から入力されるＲＧＢカラー画像が、受信側の画像出力部１４に到達するまでに経ることが可能な経路は３通りある。
【００５０】
つまり、経路ａを経て画像処理部Ｄ１３によりＲＧＢ／ＣＭＹＫ変換されてから経路ｂを経て画像出力部１４に達するルート（ａ＋ｂ）。経路ｅを経て画像処理部Ｂ５によりＲＧＢ／Ｌａｂ変換され、更に経路ｆを経て画像処理部Ｃ１２によりＬａｂ／ＣＭＹＫ変換されてから画像出力部１４に達するルート（ｅ＋ｆ＋ｇ）。経路ｃを経て画像処理部Ａ３によりＲＧＢ／ＣＭＹＫ変換されてから経路ｄを経て画像出力部１４に達するルート（ｃ＋ｄ）の３通りである。
【００５１】
ここで、それらの３通りのうち、送信側の画像入力部１と、受信側の画像入力部１５のデバイス特性の同一／相違、及び／または、送信側の画像出力部７と、受信側の画像出力部１４のデバイス特性の同一／相違によらず、常に可能な経路は、ルート（ｅ＋ｆ＋ｇ）である。しかし、そのルート（ｅ＋ｆ＋ｇ）は、ＲＧＢ色空間から、標準のＬａｂ色空間への変換処理と、その標準のＬａｂ色空間からＣＭＹＫ色空間への変換処理の２段階の色変換を含む、従来と同様の経路であり、その分画質劣化が激しい。
【００５２】
そこで、本実施の形態では、送信側の画像入力部１と、受信側の画像入力部１５のデバイス特性の同一／相違、及び、送信側の画像出力部７と、受信側の画像出力部１４のデバイス特性の同一／相違の組み合わせに応じて画質劣化ができるだけ少ないルートを選択する。
【００５３】
図３は、送信側の画像入力部１と、受信側の画像入力部１５のデバイス特性の同一／相違、及び、送信側の画像出力部７と、受信側の画像出力部１４のデバイス特性の同一／相違の各組み合わせに対応して選択可能なルートを模式的に示している。
【００５４】
なお、図２に示すように、ＩＮ＿Ｓは、送信側の画像入力部１のデバイス特性を表し、ＯＵＴ＿Ｓは、送信側の画像出力部７のデバイス特性を表す一方、ＩＮ＿Ｒは、受信側の画像入力部１のデバイス特性を表し、ＯＵＴ＿Ｒは、受信側の画像出力部１４のデバイス特性を表している。
【００５５】
したがって、図３において、「ＩＮ＿Ｓ＝ＩＮ＿Ｒ」とは、送信側の画像入力部１と、受信側の画像入力部１５のデバイス特性が同一であることを示し、「ＯＵＴ＿Ｓ≠ＯＵＴ＿Ｒ」とは、送信側の画像出力部７と、受信側の画像出力部１４のデバイス特性が相違していることを示してる。その他の組み合わせについても同様である。
【００５６】
つまり、図３において、「ＩＮ＿Ｓ＝ＩＮ＿Ｒ」かつ「ＯＵＴ＿Ｓ＝ＯＵＴ＿Ｒ」の場合が最もとり得るルートに多様性があり、ルート（ａ＋ｂ）、（ｃ＋ｄ）、または（ｅ＋ｆ＋ｇ）の全てのルートが選択可能である。この場合、ルート（ｅ＋ｆ＋ｇ）を選択したのでは、従来と同様であるため、本実施の形態では、後述するように、条件に応じて、画像処理の観点からて実質的に同一のルート（ａ＋ｂ）または（ｃ＋ｄ）のいずれかを選択する。
【００５７】
「ＩＮ＿Ｓ＝ＩＮ＿Ｒ」かつ「ＯＵＴ＿Ｓ≠ＯＵＴ＿Ｒ」の場合は、ルート（ａ＋ｂ）または（ｅ＋ｆ＋ｇ）のルートが選択可能である。この場合、ルート（ｅ＋ｆ＋ｇ）を選択したのでは、従来と同様であるため、本実施の形態では、ルート（ａ＋ｂ）を選択する。
【００５８】
「ＩＮ＿Ｓ≠ＩＮ＿Ｒ」かつ「ＯＵＴ＿Ｓ＝ＯＵＴ＿Ｒ」の場合は、ルート（ｃ＋ｄ）または（ｅ＋ｆ＋ｇ）のルートが選択可能である。この場合、ルート（ｅ＋ｆ＋ｇ）を選択したのでは、従来と同様であるため、本実施の形態では、ルート（ｃ＋ｄ）を選択する。
【００５９】
「ＩＮ＿Ｓ≠ＩＮ＿Ｒ」かつ「ＯＵＴ＿Ｓ≠ＯＵＴ＿Ｒ」の場合は、ルート（ｅ＋ｆ＋ｇ）のみが選択可能である。この場合、ルート（ｅ＋ｆ＋ｇ）を選択したのでは、従来と同様であるが、それ以外に選択できるルートがないため、本実施の形態では、ルート（ｅ＋ｆ＋ｇ）を選択する。
【００６０】
このように、送信側及び受信側の各デバイス特性に応じて、色空間変換を含む画像処理が少なくて済む処理経路が選択されるように、送信側の画像入力部１から受信側の画像出力部１４までの経路を設定することで、画質の劣化を防ぐことができる。
【００６１】
以上の概念的な説明を踏まえて、送信側装置の画像入力部１から入力されたＲＧＢカラー画像を受信側装置に伝送して、受信側装置の画像出力部１４で出力するまでの処理手順について、図４を参照して説明する。
【００６２】
同図において、先ず、送信側及び受信側の各通信制御部８、９間のやりとりにより通信が確立されると、受信側の通信制御部９は、受信側装置構成を送信側装置の通信制御部８へ通知し（処理１０１）、送信側の通信制御部８は、それを受信する。送信側の通信制御部８は、送信側の画像出力部７と、受信側の画像出力部１４のデバイス特性が同一（ＯＵＴ＿Ｓ＝ＯＵＴ＿Ｒ）で、受信側装置の出力デバイスに対応した画像処理が自装置において可能かを確認する（処理１０２）。
【００６３】
可能な場合（判断１０３のＹｅｓ）は、送信側装置の通信制御部８は、更に、送信側の画像入力部１と、受信側の画像入力部１５のデバイス特性が同一（ＩＮ＿Ｓ＝ＩＮ＿Ｒ）で、受信側装置で自装置の入力デバイスに対応した画像処理が可能かを確認する（処理１０４）。
【００６４】
可能な場合（判断１０５のＹｅｓ）は、送信側装置の通信制御部８は、更に送信側で処理したほうが伝送データ量が少ないかを判断する（処理１０６）。つまり、送信側の画像出力部７と、受信側の画像出力部１４のデバイス特性が同一（ＯＵＴ＿Ｓ＝ＯＵＴ＿Ｒ）、かつ、送信側の画像入力部１と、受信側の画像入力部１５のデバイス特性が同一（ＩＮ＿Ｓ＝ＩＮ＿Ｒ）で、図２に示したルート（ａ＋ｂ）または（ｃ＋ｄ）のいずれのルートをとることも可能な場合は、送信側の画像入力部１から入力されたＲＧＢカラー画像を送信側の画像処理部Ａ３でＲＧＢ／ＣＭＹＫ変換をして（送信側で、受信側の出力デバイスに対応した画像処理をして）から受信側にＣＭＹＫカラー画像として伝送して、受信側の画像出力部１４にそのまま渡したほうが、伝送データ量が少なければ、ルート（ｃ＋ｄ）を選択したほうが、すなわち、送信側で処理したほうが伝送データ量は少ない。一方、送信側の画像入力部１から入力されたＲＧＢカラー画像を、そのままＲＧＢカラー画像として受信側に伝送して、受信側の画像処理部Ｄ１３でＲＧＢ／ＣＭＹＫ変換をして（受信側で送信側の入力デバイスに対応した画像処理をして）から、受信側の画像出力部１４に渡したほうが、伝送データ量が少なければ、ルート（ａ＋ｂ）を選択したほうが、すなわち、送信側で処理しないほう（受信側で処理したほう）が伝送データ量は少ない。
【００６５】
この判断１０６を行うことで、送信側で画像処理（ＲＧＢ／ＣＭＹＫ変換）してから受信側にＣＭＹＫカラー画像として伝送して受信側の画像出力部１４にそのまま渡す場合と、送信側で画像処理しないで、ＲＧＢカラー画像のまま受信側に伝送して受信側の画像処理部Ｄ１３で画像処理（ＲＧＢ／ＣＭＹＫ変換）してから受信側の画像出力部１４に渡す場合とが、実質的に出力画像の画質の点で同等である場合においては、伝送データ量が少なくなるほうの場合を採用できるため、可能な画像処理ルートを通信時間の短縮のために有効に活用できる。
【００６６】
なお、伝送データ量についての判断は、送信側の通信制御部８が行うが、その判断は、最も基本的には、圧縮符号化部４からのＲＧＢカラー画像についての符号化データと、ＣＭＹＫカラー画像の符号化データのデータ量の比較により行うことができる。また、この場合、単純には色成分の多いＣＭＹＫカラー画像の方が伝送データ量が少なくなることはないと考えがちであるが、ＣＭＹＫ色変換後の各色成分のビット数やＲＧＢ各色成分のビット数はデバイスの種類によって異なるため、必ずしも常にＲＧＢカラー画像の方が伝送データ量が少なくなるとは限らない。当然ながらデバイス固有の色空間や成分毎のビット数に関しては様々な組み合わせが存在するため、デバイスの種類に合わせた選択肢を設定する必要があり、その設定は、実験的に求めることができる。これは通信時に毎回求めてもよいが、各色空間での伝送データ量に関する一般的な傾向を求めておいて、それに応じて処理方法をプリセットしておく方が処理量を削減できる。
【００６７】
さて、判断１０５において、その判断結果がＮｏの場合、すなわち、送信側の画像出力部７と、受信側の画像出力部１４のデバイス特性が同一（ＯＵＴ＿Ｓ＝ＯＵＴ＿Ｒ）、かつ、送信側の画像入力部１と、受信側の画像入力部１５のデバイス特性が相違する（ＩＮ＿Ｓ≠ＩＮ＿Ｒ）場合、または、判断１０６において、その判断結果がＹｅｓの場合、すなわち、送信側の画像出力部７と、受信側の画像出力部１４のデバイス特性が同一（ＯＵＴ＿Ｓ＝ＯＵＴ＿Ｒ）、かつ、送信側の画像入力部１と、受信側の画像入力部１５のデバイス特性が同一（ＩＮ＿Ｓ＝ＩＮ＿Ｒ）であってさらに送信側で処理した方法が伝送データ量が少ない場合には、送信側の画像入力部１から入力されたＲＧＢカラー画像に対して、送信側の画像処理部Ａ３で受信側の出力デバイスに対応した画像処理（ＲＧＢ／ＣＭＹＫ変換）を行って（処理１０７）、圧縮符号化部４で符号化しつつ受信側に伝送する（処理１０８）。受信側の通信制御部９は、それに対応してデータを受信し、受信したデータを復号化部１０で復号化して、その復号化したカラー画像を、送信側の通信制御部８がデータの伝送時に受信側の通信制御部９に通知する伝送データの種類（ＲＧＢ、ＣＭＹＫ、またはＬａｂのいずれか）に応じて選択部１１を切り替えることで、受信したカラー画像の色空間に対応して、Ｌａｂ／ＣＭＹＫ色空間変換を行う画像処理部Ｃ１２または、ＲＧＢ／ＣＭＹＫ色空間変換を行う画像処理部Ｄ１３を介して、あるいは、ＣＭＹＫ色空間のまま画像出力部１４に渡す。なお、この場合は、ＣＭＹＫカラー画像を受信するため、そのまま画像出力部１４に渡される。
【００６８】
これにより、送信側装置及び受信側装置が、入力デバイス（たとえばスキャナ装置）として異なる特性（違う種類）のものを有しているが、出力デバイス（たとえばプロッタ）の種類が同一で同特性であるような装置間においてカラー画像を伝送する場合のように、少なくとも送信側の画像出力部７と、受信側の画像出力部１４のデバイス特性が同一（ＯＵＴ＿Ｓ＝ＯＵＴ＿Ｒ）である場合には、送信側画像入力部１から入力されたＲＧＢカラー画像に対して、送信側の画像処理部Ａで受信側の出力デバイスに対応した画像処理（ＲＧＢ／ＣＭＹＫ変換）を行うことで、送信側の画像入力部１から入力され、受信側の画像出力部１４から出力されるカラー画像に対して行う画像処理を必要最小限に済ますことができ、出力画像の画質の劣化を抑えることができる。
【００６９】
さて、判断１０３において、可能でない場合（判断１０３のＮｏ）、すなわち、送信側の画像出力部７と、受信側の画像出力部１４のデバイス特性が相違して（ＯＵＴ＿Ｓ≠ＯＵＴ＿Ｒ）いて、受信側装置の出力デバイスに対応した画像処理が自装置において不可能な場合は、送信側装置の通信制御部８は、更に、送信側の画像入力部１と、受信側の画像入力部１５のデバイス特性が同一（ＩＮ＿Ｓ＝ＩＮ＿Ｒ）で、受信側装置で自装置の入力デバイスに対応した画像処理が可能かを確認する（処理１１１）。
【００７０】
可能な場合（判断１１２のＹｅｓ）、すなわち、送信側の画像出力部７と、受信側の画像出力部１４のデバイス特性が相違して（ＯＵＴ＿Ｓ≠ＯＵＴ＿Ｒ）、かつ、送信側の画像入力部１と、受信側の画像入力部１５のデバイス特性が同一（ＩＮ＿Ｓ＝ＩＮ＿Ｒ）の場合、または、判断１０６において、その判断結果がＮｏの場合、すなわち、送信側の画像出力部７と、受信側の画像出力部１４のデバイス特性が同一（ＯＵＴ＿Ｓ＝ＯＵＴ＿Ｒ）、かつ、送信側の画像入力部１と、受信側の画像入力部１５のデバイス特性が同一（ＩＮ＿Ｓ＝ＩＮ＿Ｒ）であってさらに送信側で処理した方が伝送データ量が少なくない（受信側で処理した方法が伝送データ量が少ない）場合には、送信側画像入力部１から入力されたＲＧＢカラー画像をそのまま、圧縮符号化部４で符号化しつつ受信側に伝送する（処理１０９）。受信側の通信制御部９は、それに対応してデータを受信し、受信したデータを復号化部１０で復号化して、その復号化したカラー画像を、送信側の通信制御部８がデータの伝送時に受信側の通信制御部９に通知する伝送データの種類（ＲＧＢ、ＣＭＹＫ、またはＬａｂのいずれか）に応じて選択部１１を切り替えることで、受信したカラー画像の色空間に対応して、Ｌａｂ／ＣＭＹＫ色空間変換を行う画像処理部Ｃ１２または、ＲＧＢ／ＣＭＹＫ色空間変換を行う画像処理部Ｄ１３を介して、あるいは、ＣＭＹＫ色空間のまま画像出力部１４に渡す。なお、この場合は、ＲＧＢカラー画像を受信するため、画像処理部Ｄ１３で受信側の出力デバイスすなわち、画像出力部１４の特性に対応した画像処理（ＲＧＢ／ＣＭＹＫ変換）を行って（処理１１０）から画像出力部１４に渡す。
【００７１】
これにより、送信側装置及び受信側装置が、入力デバイス（たとえばスキャナ装置）として同一特性（同一種類）のものを有しているが、出力デバイス（たとえばプロッタ）の種類が違うような装置間においてカラー画像を伝送する場合のように、少なくとも送信側の画像入力部１と、受信側の画像入力部１５のデバイス特性が同一（ＩＮ＿Ｓ＝ＩＮ＿Ｒ）である場合には、送信側の画像入力部１から入力され、そのまま受信側に伝送されたＲＧＢカラー画像に対して、受信側の画像処理部Ｄ１３で受信側の出力デバイスに対応した画像処理（ＲＧＢ／ＣＭＹＫ変換）を行うことで、送信側の画像入力部１から入力され、受信側の画像出力部１４から出力されるカラー画像に対して行う画像処理を必要最小限に済ますことができ、出力画像の画質の劣化を押さえることができる。
【００７２】
判断１１２において、可能でない場合（判断１１２のＮｏ）、すなわち、送信側の画像出力部７と、受信側の画像出力部１４のデバイス特性が相違して（ＯＵＴ＿Ｓ≠ＯＵＴ＿Ｒ）、かつ、送信側の画像入力部１と、受信側の画像入力部１５のデバイス特性が相違する（ＩＮ＿Ｓ≠ＩＮ＿Ｒ）場合には、送信側装置と、受信側装置の入出力デバイスには、まったく共通性がないため、送信側の画像入力部１から入力されたＲＧＢカラー画像に対して、画像処理部Ｂ５により標準フォーマット対応の画像処理（ＲＧＢ／Ｌａｂ色空間変換）を行うことで、標準のＬａｂカラー画像に変換して（処理１１３）、圧縮符号化部４で符号化しつつ受信側に伝送する（処理１１４）。受信側の通信制御部９は、それに対応してデータを受信し、受信したデータを復号化部１０で復号化して、その復号化したカラー画像を、送信側の通信制御部８がデータの伝送時に受信側の通信制御部９に通知する伝送データの種類（ＲＧＢ、ＣＭＹＫ、またはＬａｂのいずれか）に応じて選択部１１を切り替えることで、受信したカラー画像の色空間に対応して、Ｌａｂ／ＣＭＹＫ色空間変換を行う画像処理部Ｃ１２または、ＲＧＢ／ＣＭＹＫ色空間変換を行う画像処理部Ｄ１３を介して、あるいは、ＣＭＹＫ色空間のまま画像出力部１４に渡す。なお、この場合は、Ｌａｂカラー画像を受信するため、画像処理部Ｃ１２で受信側の出力デバイスすなわち、画像出力部１４の特性に対応した標準フォーマット対応の画像処理（Ｌａｂ／ＣＭＹＫ変換）を行って（処理１１５）から画像出力部１４に渡す。
【００７３】
これにより、送信側装置及び受信側装置が、入力デバイス（たとえばスキャナ装置）として異なる特性（異なる種類）のものを有しており、かつ、出力デバイス（たとえばプロッタ）の種類も違うような装置間においてカラー画像を伝送する場合のように、従来と同様にいったん送信側でＲＧＢカラー画像を標準のＬａｂカラー画像に変換してから受信側でＬａｂ／ＣＭＹＫ変換するしかない場合に対しても、対応することができる。ただし、その場合、送信側の画像入力部１から入力されたカラー画像が、受信側のカラー画像出力部１４に渡されるまでに、ＲＧＢ／Ｌａｂ、Ｌａｂ／ＣＭＹＫの２段階の色空間変換を経るため、その分の画質の劣化は避けられない。
【００７４】
受信側の画像出力部１４が、このようにして最終的に、自デバイスに適合するＣＭＹＫ色空間のカラー画像として渡される画像を出力する（処理１１６）ことで、画像データの伝送処理が完了する。
【００７５】
以上の処理により、できるだけ画質劣化が防止できる画像処理経路を選択し、画質劣化が防止できる程度が同程度の画像処理経路が複数ある場合には、伝送データ量が少なくなる方の画像処理経路を選択し、標準に対応するための余分の画像処理が介在し従来と同様に画質劣化が生じてしまう画像処理経路しか選択できない場合でも、入出力デバイスの特性の全く異なる異機種間での通信を可能とするためにその標準対応の画像処理経路を選択することで、常に最適な画像処理経路で、送信側で入力したカラー画像を受信側で出力できる。
【００７６】
なお、送信側及び受信側の各画像処理部においては、ＲＧＢ／ＣＭＹＫ、ＲＧＢ／Ｌａｂ、Ｌａｂ／ＣＭＹＫ等の色空間変換処理の他に、それぞれのデータ伝送経路に応じた、エッジ強調、ガンマ変換、色相変換、ＭＴＦ補正等々の画像処理も行うように構成できるのはいうまでもなく、画像入力部１、１５、及び、画像出力部７、１４のデバイス特性の同一／相違の判断において、色空間の特性のみではないく、それらの付加的特性を考慮に加えるようにしてもよい。
【００７７】
以上説明した図１に示した構成における図４に示すデータ伝送手順では、送信側装置が、受信側装置の装置構成を知るために、画像データの伝送に先立って、受信側の通信制御部９から送信側の通信制御部８に、受信側装置の構成についての詳細な情報そのものを伝送していたが、その場合、入出力デバイスの特性値等の多量のデータを画像データの伝送動作がある毎にやりとりしなければならず、そのための通信時間が長くなってしまう問題が残る。
【００７８】
その残された問題は、送信側装置に以下説明する図５または図６に示す構成を追加することで解決できる。
【００７９】
先ず、図５には、図１に示す送信側装置の構成に追加されるデバイス情報記憶部１７及び操作表示部１６とそれに関連する周辺の構成要素のみを示している。図示していない構成については、図１と同様である。
【００８０】
図５において、デバイス情報記憶部１７は、デバイス情報１７ｂないし１７ｆの１ないしｎ個のデバイス情報をデバイス識別コードと対応付けて予め記憶している。通信制御部８が、受信側装置の通信制御部９から伝送された受信側機器のデバイス識別コードを受信すると、そのデバイス識別コードは、デバイス情報記憶部１７のセレクタ１７ａに入力され、セレクタ１７ａは、入力されたデバイス識別コードに対応するデバイス情報をデバイス情報１７ｂないし１７ｆの中から取り出し、その取り出したデバイス情報を選択部２に出力する。選択部２は入力されてきたデバイス情報に応じて、画像入力部１により入力されるＲＧＢカラー画像の処理方法を選択する。すなわち、受信側の出力デバイスの特性に合わせたＣＭＹ色空間に変換する画像処理部Ａ３、デバイス非依存の標準の色空間であるＬａｂ色空間に変換する画像処理部Ｂ５、または、送信側では処理を行わずにＲＧＢ色空間のまま直接圧縮符号化部４にそれぞれに入力するように切り換える。
【００８１】
デバイス情報としては、各識別コード毎にたとえば、入出力装置の区別、様々な特性値、自機における処理の可否等の情報を記憶しておく。
【００８２】
また、デバイス情報記憶部１７に記憶されたデバイス情報が固定的であると、受信側装置として最新機種が使用された場合に対応できなくなるが、そのような、それまで、送信側装置が知らなかった機種についていのデバイス情報は、随時操作表示部１６からの入力操作により更新する。新しいデバイスにおいても特性等が同等であれば旧前のものと同じ処理を用いることができるため、データを更新することによって、このような場合に対処することができる。
【００８３】
次に、図６には、図１に示す送信側装置の構成に追加される機種情報記憶部１８及び操作表示部１６とそれに関連する周辺の構成要素のみを示している。図示していない構成については、図１と同様である。
【００８４】
図６において、機種情報記憶部１８は、機種情報１８ｂないし１８ｆの１ないしｎ個の機種情報を機種コードと対応付けて予め記憶している。通信制御部８が、受信側装置の通信制御部９から伝送された受信側機器の機種コードを受信すると、その機種コードは、機種情報記憶部１８のセレクタ１８ａに入力され、セレクタ１８ａは、入力された機種コードに対応する機種情報を機種情報１８ｂないし１８ｆの中から取り出し、その取り出した機種情報を選択部２に出力する。選択部２は入力されてきた機種情報に応じて、画像入力部１により入力されるＲＧＢカラー画像の処理方法を選択する。すなわち、受信側の出力デバイスの特性に合わせたＣＭＹ色空間に変換する画像処理部Ａ３、デバイス非依存の標準の色空間であるＬａｂ色空間に変換する画像処理部Ｂ５、または、送信側では処理を行わずにＲＧＢ色空間のまま直接圧縮符号化部４にそれぞれに入力するように切り換える。
【００８５】
機種情報としては、各機種毎に使用されている入出力デバイスの種類や特性値等を記憶しておく。
【００８６】
また、機種情報記憶部１８に記憶された機種情報が固定的であると、受信側装置として最新機種が使用された場合に対応できなくなるが、そのような、それまで、送信側装置が知らなかった機種についての機種情報は、随時操作表示部１６からの入力操作により更新する。新しい機種においてもその機種で使用されているデバイスの種類や特性値を記述すれば、以前のものと同じ種類のデバイスや特性値の同じデバイスが使用されている場合には旧前の処理を使用できるため、そのようなケースにおいて有効である。
【００８７】
また、図５に示した構成と図６に示した構成を組み合わせ、受信側装置から受信するデバイス識別コード、または、機種コードに応じて、デバイス情報記憶部１７または、機種情報記憶部１８から対応するデバイス情報または機種情報を取り出して選択部２に与え、選択部２がその与えられたデバイス情報または機種情報に応じて画像入力部１からのＲＧＢカラー画像の切り換え先を選択するようにすれば、受信側装置の多様性にいっそう柔軟に対応することができる。
【００８８】
なお、以上説明した実施の形態においては、本発明をカラーファクシミリ装置間の通信に適用したが、本発明は、それに限らず、スキャナ、プリンタ等のデバイス間での通信に対しても同様に適用が可能なものである。
【００８９】
【発明の効果】
請求項１に係る発明によれば、画像データ伝送時に送信側において、受信側の装置構成情報と送信側の装置構成情報との比較結果に基づき画像処理方法や送信手順を決定するようにしているため、同じ機種同士の通信時などに送受信装置間において無駄な画像処理が行われることを回避することができ、受信側装置において画質劣化の少ない良好な出力画像を得ることができる。
また、送信側装置のＲＧＢカラー画像対応の入力デバイスから入力されて、送信側装置において受信側装置のＣＭＹＫカラー画像対応の出力デバイスに対応した画像処理（ＲＧＢ／ＣＭＹＫ変換及び符号化）を行って得られた伝送画像データと、送信側装置のＲＧＢカラー画像対応の入力デバイスから入力されて、受信側装置においてその受信側装置のＣＭＹＫカラー画像対応の出力デバイスに対応した画像処理を行うために、ＲＧＢカラー画像のまま符号化されて伝送される伝送画像データとでは、データ量が異なることに鑑みて、伝送前に、ＲＧＢ及びＣＭＹＫの各符号化データを比較して、データ量が少ない方の符号化データを伝送画像データとして前記送信側装置から前記受信側装置に伝送するため、通信時間の短縮を実現できる。
【００９０】
請求項２に係る発明によれば、前記送信側装置が、前記受信側装置の各デバイスの特性情報をデバイス識別コードと対応付けて記憶しておき、前記受信側装置で使用されるデバイスを識別するコードを前記送信側装置へ通知するようにすることて、前記送信側装置は、画像データの伝送の度に前記受信側装置から装置構成情報としてデバイスの種類や特性等の具体的な情報内容の通知を受けなくても、前記デバイス識別コードの通知を受けるのみで、対応する装置構成情報の具体的な内容をデバイス特性情報として読み出して知ることができるため、前記送信側装置が、前記受信側装置の装置構成情報の具体的内容を知るために伝送する必要があるデータ量を削減できる。
【００９１】
請求項３に係る発明によれば、前記送信側装置においてデバイス固有のデバイス識別コード毎にデバイス特性情報を記憶しており、これらの情報を更新できるようにしているため、受信側装置に新規デバイス等が使用された場合にもそれらの情報を加することで対応が可能になる。
【００９２】
請求項４に係る発明によれば、前記送信側装置が、前記受信側装置の機種情報を機種コードと対応付けて記憶しておき、前記受信側装置の機種コードを前記送信側装置へ通知するようにすることて、前記送信側装置は、画像データの伝送の度に前記受信側装置から装置構成情報としてデバイスの種類や特性等の具体的な情報内容の通知を受けなくても、前記機種コードの通知を受けるのみで、対応する装置構成情報の具体的な内容を機種情報として読み出して知ることができるため、前記送信側装置が、前記受信側装置の装置構成情報の具体的内容を知るために伝送する必要があるデータ量を削減できる。
【００９３】
請求項５に係る発明によれば、前記送信側装置において前記受信側装置に固有の機種コード毎に機種情報を記憶しており、これらの情報を更新できるようにしているため、受信側装置に新規デバイス等が使用された場合にもそれらのデータを追加することで対応が可能になる。
【００９４】
請求項６に係る発明によれば、前記送信側装置においてデバイス固有のデバイス識別コード毎のデバイス特性情報、及び、前記受信側装置に固有の機種コード毎の機種情報を記憶しているため、受信側装置から通知されるコードがデバイス識別コードまたは機種コードのいずれであっても対応する装置構成情報の具体的な内容をデバイス特性情報または機種情報として読み出して知ることができるため、前記送信側装置が、前記受信側装置の装置構成情報の具体的内容を知るために伝送する必要があるデータ量を削減できるばかりでなく、受信側装置から通知される多様なコードに柔軟に対応することができる。
【図面の簡単な説明】
【図１】本発明の実施の形態に係るカラーファクシミリ装置のブロック構成を示す図である。
【図２】本発明の実施の形態に係るカラーファクシミリ装置の、画像処理経路に着目した場合の概念的なブロック構成を示す図である。
【図３】送信側及び受信側の入出力デバイスの特性の同一／相違の組み合わせに対応して可能な画像処理経路について模式的に示す図である。
【図４】本発明の実施の形態に係るカラーファクシミリ装置における画像データの伝送手順を示すフローチャートである。
【図５】送信側装置に追加される構成要素とその周辺の構成要素との関係を示すブロック構成図である。
【図６】送信側装置に追加される構成要素とその周辺の構成要素との関係を示す、図５とは別のブロック構成図である。
【図７】従来のカラーファクシミリ装置のブロック構成例を示す図である。
【符号の説明】
１  画像入力部
２  選択部
３  画像処理部Ａ
４  圧縮符号化部
５  画像処理部Ｂ
６  選択部
７  画像出力部
８、９  通信制御部
１０  復号化部
１１  選択部
１２  画像処理部Ｃ
１３  画像処理部Ｄ
１４  画像出力部
１５  画像入力部
１６  操作表示部
１７  デバイス情報記憶部
１７ａ  セレクタ
１７ｂ、ｃ、ｄ、ｅ、…、ｆ  デバイス情報
１８  機種情報記憶部
１８ａ  セレクタ
１８ｂ、ｃ、ｄ、ｅ、…、ｆ  機種情報
５１、６０  画像入力部
５２、５４、５９、６１  画像処理部
５３、６２  画像出力部
５５  圧縮符号化部
５６、５７  通信制御部
５８  符号化部
【図１】
0003593229.tif 000002
【図２】
0003593229.tif 000003
【図３】
0003593229.tif 000004
【図４】
0003593229.tif 000005
【図５】
0003593229.tif 000006
【図６】
0003593229.tif 000007
【図７】
0003593229.tif 000008